(57)【要約】【課題】製本された本誌と種々の付録類が結束されている出版物の結束物において、その付録類の過不足を検出する結束物の検査方法及びその検査装置で、その検査に生産性の低下がなく、かつ検査精度（正確さ）の高い検査方法とその装置の提供にある。【解決手段】製本された所定数の本誌１０と、それに相当する付録１２とを重ねて結束し、その結束物１を搬送する結束ライン上にエンコーダー付エアシリンダー２０を固設し、該エンコーダー付エアシリンダー２０のロット２２ａの下降で結束物１を挟み込んで厚みＤを検出して付録１２の過不足を検査する結束物の検査方法とその検査装置３０とするものである。【選択図】図１
2006206104.tif 000002
【特許請求の範囲】
【請求項１】
製本ラインで製本された所定数の本誌と、それに相当する付録類とを重ねて結束し、結束された結束物を搬送する結束ライン上に、エンコーダー付エアシリンダーを固設し、該エンコーダー付エアシリンダーのロットの下降で前記結束物を挟み込んでその厚みを検出して前記付録類の過不足を検査することを特徴とする結束物の検査方法。
【請求項２】
上記エンコーダー付エアシリンダーは、上下動するロットの下降度合いで結束物の厚みを捉え、該捉えられた厚みと既に入力されている基準値との差を計算して付録類の過不足を判定する機能を有していることを特徴とする請求項１記載の結束物の検査方法。
【請求項３】
上記請求項１または２に記載の結束物の検査方法が適用されている結束物の検査装置、
即ち、結束される所定数の本誌と、それに相当する付録類でなる結束物をエンコーダー付エアシリンダーの下降で挟み込む手段と、
下降したエンコーダー付エアシリンダーの下降度合をカウントして結束物の厚みを捉える手段と、
この厚みと基準となる厚みとの差を計算し、その差が許容範囲内にあるか否かを検出する手段と、
を具備した結束物の検査装置。
【発明の詳細な説明】
【技術分野】
【０００１】
本発明は、製本された本誌と付録類が結束された結束物の検査方法およびその検査装置に関するものであり、さらに詳しくは、結束される付録類の過不足を検出する結束物の検査方法およびその検査装置に関する。
【背景技術】
【０００２】
近年、法改正等に伴い、例えば、ＣＤ（コンパクトディスク）やプラモデル等を含め種々の付録類が付いた出版物が多くなってきている。その状況に伴い、製本された所定数の本誌とその数に応じた種々の付録類とを結束し、出版物の結束物として出荷しているが、前述のように、結束される付録類の数と頻度が多くなってきていることから、製本された本誌と種々の付録類の供給と結束を自動化した結束ラインを用いて出版物の結束物を得ていた。
【０００３】
しかしながら、上記自動結束ラインにおいて、本誌と結束される付録類の過不足が多発するようになり、このような過不足のまま出荷され、大きなトラブルとなるという問題点があった。
【０００４】
上記問題点の解決策として、上記自動結束ラインで結束された結束物をベルトコンベア上でその重量を測定するウエィトチェッカーによる検査方法があるが、その検出精度が±２０ｇ程度であり、例えば、１枚の重さが８ｇのＣＤなどの過不足の検査は不可能となるものであった。
【０００５】
そのため、上記のような多様形態の付録類の過不足を検査するのに人手に頼らざるを得なくなり、それに係わる人件費や生産性の低下で製造コストが嵩むようになるという問題点に加え、人手によるための検査の精度（正確さ）に欠けるようになるという問題点があった。
【発明の開示】
【発明が解決しようとする課題】
【０００６】
本発明は、かかる従来技術の問題点を解決するものであり、その課題とするところは、製本された本誌と種々の付録類が結束されている出版物の結束物において、その付録類の過不足を検出する結束物の検査方法およびその方法が適用される検査装置であって、その検査に製造コストが嵩む人手に頼ることなく、かつ検査精度（正確さ）の高い結束物の検査方法およびその検査装置を提供することにある。
【課題を解決するための手段】
【０００７】
本発明に於いて上記課題を達成するために、まず請求項１の発明では、製本ラインで製本された所定数の本誌と、それに相当する付録類とを重ねて結束し、結束された結束物を搬送する結束ライン上に、エンコーダー付エアシリンダーを固設し、該エンコーダー付エアシリンダーのロットの下降で前記結束物を挟み込んでその厚みを検出して前記付録類の過不足を検査することを特徴とする結束物の検査方法としたものである。
【０００８】
また、請求項２の発明では、上記エンコーダー付エアシリンダーは、上下動するロットの下降度合いで結束物の厚みを捉え、該捉えられた厚みと既に入力されている基準値との差を計算して付録類の過不足を判定する機能を有していることを特徴とする請求項１記載の結束物の検査方法としたものである。
【０００９】
さらにまた、請求項３の発明では、上記請求項１または２に記載の結束物の検査方法が適用されている結束物の検査装置、
即ち、結束される所定数の本誌と所定種の所定数（セット数等）の付録でなる結束物をエンコーダー付エアシリンダーの下降で挟み込む手段と、
下降したエンコーダー付エアシリンダーの下降度合をカウントして結束物の厚みを捉える手段と、
この厚みと基準となる厚みとの差を計算し、その差が許容範囲内にあるか否かを検出する手段と、
を具備した結束物の検査装置としたものである。
【発明の効果】
【００１０】
本発明は以上の構成であるから、下記に示す如き効果がある。
【００１１】
即ち、上記請求項１に係る発明によれば、製本ラインで製本された所定数の本誌と、それに相当する付録類とを重ねて結束し、結束された結束物を搬送する結束ライン上に、エンコーダー付エアシリンダーを固設し、該エンコーダー付エアシリンダーのロットの下降で前記結束物を挟み込んでその厚みを検出して前記付録類の過不足を検査することによって、付録類の供給と過不足の検査（員数検査）に人手を必要とせず、かつ高精度の検査が可能な結束物の検査方法とすることができる。
【００１２】
また、上記請求項２に係る発明によれば、上記エンコーダー付エアシリンダーは、上下動するロットの下降度合いで結束物の厚みを捉え、該捉えられた厚みと既に入力されている基準値との差を計算して付録類の過不足を判定する機能を有しているので、付録類の過不足があれば、その信号を結束物のリジェクト部に送ることによって、結束物をリジェクトする結束物の検査方法とすることができる。
【００１３】
さらにまた、上記請求項３に係る発明によれば、上記請求項１または２に記載の結束物の検査方法が適用されている結束物の検査装置とすることによって、所定数の本誌へ、それに相当する数と種類の付録類の供給と過不足の検査（員数検査）に人手を必要とせず、かつ高精度の検査が可能な結束物の検査装置を提供できる効果がある。
【００１４】
従って本発明は、製本された本誌と付録類が結束された出版物としての結束物の検査方法およびその検査装置、特に結束される付録類の過不足を検出する結束物の検査方法およびその検査装置として、優れた実用上の効果を発揮するものである。
【発明を実施するための最良の形態】
【００１５】
以下本発明を実施するための最良の形態を図面を用いて詳細に説明する。
【００１６】
本発明は、例えば、図１の側面概略図に示すように、製本された所定数の本誌（１０）と、それに相当する付録（１２）とを重ねて結束し、結束された結束物（１）の厚み（Ｄ）を検出することによって、所定数の本誌（１０）上の結束される付録（１２）の過不足を検査する結束物の検査方法およびその検査装置に関するものである。
【００１７】
上記請求項１に係る発明は、例えば、図２の平面概略図に示すように、結束ライン（１００）上の化粧断部（４０）で、製本された本誌の三方を化粧断ちし、化粧断ちされた本誌（１０）を所定数積み重ねる本誌積載部（４１）を経た後、所定数の本誌（１０）上に、付録類供給部（４２）で所定種で所定数の付録（１２）を重ねるように供給する。
【００１８】
続いて、図２に示すように、ターン部（４３）で縦長方向の本誌（１０）等を横幅方向にターンせしめ、当て紙供給部（４４）で、例えば、図３の側面概略図に示すように、所
定数積み重ねられた本誌（１０）上の所定種で所定数の付録（１２）の上下に当て紙（１４）を供給し、その当て紙が供給された本誌と付録類を、図２に示すように、回転する５角形状の咥え部（４５）の一部で咥え、咥えられた本誌と付録類が縦方向結束部（４６）に送られて、例えば、図３（ｂ）の側面概略図に示すように、所定数の本誌（１０）とその上に供給された所定種で所定数の付録（１２）で、その上下の当て紙（１４）とともに縦方向の結束帯（１６）で結束する。
【００１９】
続いて、図２に示すように、縦方向に結束された結束物（１）を再度咥え部（４５）で咥え、咥え部（４５）とともに回転方向（Ｐ）に回転し、エンコーダー付エアシリンダー（２０）が取付られている結束物の厚み測定部（４８）に搬送して回転板（４７）上に結束物（１）を乗せる。
【００２０】
上記回転板（４７）上に乗せられた結束物（１）を、例えば、図１に示すように、エンコーダー付エアシリンダー（２０）を構成するロット（２２ａ）の下降で結束物（１）を挟み込み、この結束物（１）の挟み込みで、結束物（１）の厚み（Ｄ）をエンコーダー（２４）が捉える。
【００２１】
その捉えられた結束物（１）の厚み（Ｄ）と基準（付録に過不足のない結束物）となる厚みとの比較で、結束される付録（１２）の過不足を検出し、過不足が検出された結束物（１）の場合は、図２に示す次工程の横方向結束部（４９）で、例えば、図３（ｃ）に示すように、所定数の本誌（１０）とその上に供給された所定種で所定数の付録（１２）とともに横方向の結束帯（１６）で結束した後、リジェクト部（５０）でリジェクトされる。また、結束される付録（１２）の過不足が検出されなかった結束物（１）の場合は、次工程の横方向結束部（４９）で横方向の結束帯（１６）で結束した後、リジェクト部（５０）を通過し、良品として搬送される結束物の検査方法とするものである。
【００２２】
なお、上記エンコーダー付エアシリンダー（２０）が取付られている厚み測定部（４８）は、横方向結束部（４９）の後であってもよく、また、結束ライン（１００）を据え付けられるスペースなどから、特にターン部（４３）を設ける必要はなくストレートのラインとしても構わない。
【００２３】
また、上記請求項２に係る発明は、例えば、図１に示すように、エンコーダー付エアシリンダー（２０）は、エアシリンダー（２２）の下部のロット（２２ａ）の下降度合で結束物（１）の厚み（Ｄ）を捉えるもので、具体的にはロット（２２ａ）が０．１ｍｍ下降する度に信号を１つ出力するようになっていて、その出力される信号の数をエンコーダー（２４）でカウントして結束物（１）の厚み（Ｄ）とする。
【００２４】
さらに上記でカウントされた厚み（Ｄ）に相当する値と、既にエンコーダー（２４）に入力されている基準値、すなわち正常な（付録（１２）に過不足のない）結束物（１）の厚み（Ｄ）に相当する値との差を計算し、付録（１２）の内容（厚さなど）によって決定される前記差の許容範囲を越えるか否かによって、結束される付録（１２）の過不足を検出するようにしたものである。
【００２５】
上記許容範囲としては、付録（１２）の１部の厚みやそのパッケージ（袋等）を含めたクッション性等を考慮して決められるもので、例えば、１枚の厚みが１．３ｍｍのコンパクトディスク（ＣＤ）に紙製のパッケージを含めた場合を例にとると、その許容範囲として、−２０カウントの信号数、すなわち−２０×０．１ｍｍ程度とすることによって、精度の高い検査が可能となる。
【００２６】
さらにまた、上記請求項３に係る発明は、例えば、図１に示すように、上記結束物の検
査方法を適用して結束される付録（１２）の過不足を検出する検査装置（３０）であり、この結束物の検査装置（３０）は、
１）結束される所定数の本誌（１０）と所定種の所定数（セット数等）の付録（１２）でなる結束物（１）をエンコーダー付エアシリンダー（２０）のロット（２２ａ）の下降で挟み込む手段と、
２）下降したロット（２２ａ）の下降度合をカウントして結束物（１）の厚み（Ｄ）を捉える手段と、
３）この厚み（Ｄ）と基準値（結束される付録（１２）に過不足のない結束物の厚み）との差を計算し、その差が許容範囲内にあるか否かを検出する手段と、
を具備した検査装置（３０）である。
【００２７】
上記結束物（１）の厚み（Ｄ）を捉える手段と、基準値との差を計算し、その差が許容範囲内にあるか否かの検出手段は、エアシリンダー（２２）に内蔵されているエンコーダー（２４）でなされ、この検出手段での結果の信号をリジェクト部に送信されるようにした結束物の検査装置（３０）である。
【００２８】
以上のような結束物の検査方法およびその検査装置によって検査され、所定数の本誌と結束される所定種の所定数の付録の過不足のない結束物は、従来のような人手によるところがなくなり、結束物の生産性が向上し、かつ精度の高い結束物の検査方法およびその検査装置とすることができる。
【００２９】
以上のように、本発明は、製本された本誌と付録類が結束された結束物において、その結束される付録類の過不足を検出する検査方法およびその検査装置として、優れた実用上の効果を発揮するものである。
【図面の簡単な説明】
【００３０】
【図１】本発明の結束物の検査方法およびその検査装置の一実施の形態を側面で表した説明図である。
【図２】本発明の結束物の検査方法およびその検査装置の一事例を示すもので、結束ライン全体を示す上面図である。
【図３】本発明の結束物の検査方法およびその検査装置の一事例を示すもので、（ａ）は、当て紙供給部の側面概略図であり、（ｂ）は、縦方向結束部の側面概略図であり、（ｃ）は、横方向結束部の側面概略図である。
【符号の説明】
【００３１】
１‥‥結束物
１０‥‥本誌
１２‥‥付録
１４‥‥当て紙
１６‥‥結束帯
２０‥‥エンコーダー付エアシリンダー
２２‥‥エアシリンダー
２２ａ‥‥ロット
２４‥‥エンコーダー
３０‥‥結束物の検査装置
４０‥‥化粧裁部
４１‥‥本誌積載部
４２‥‥付録供給部
４３‥‥ターン部
４４‥‥当て紙供給部
４５‥‥結束物咥え部
４６‥‥縦方向結束部
４７‥‥回転板
４８‥‥厚み測定部
４９‥‥横方向結束部
５０‥‥リジェクト部
１００‥‥結束ライン
Ｄ‥‥結束物の厚み
Ｐ‥‥結束物咥え部の回転方向
【図１】
2006206104.tif 000003
【図２】
2006206104.tif 000004
【図３】
2006206104.tif 000005